(57)【要約】【課題】  コミュニティの変化を、利用者の個人ページを通じて利用者に通知することができるコミュニティシステムのサーバを提供すること。【解決手段】  利用者ＩＤによって、コミュニティ情報と、利用者の個人ページであるマイページ情報とを関連付ける。そして、コミュニティの情報に変動があった場合、コミュニティに参加している利用者の利用者ＩＤに対応する利用者の個人ページであるマイページに対して、メッセージを送信する。【選択図】図１
2007048186.tif 000002
【特許請求の範囲】
【請求項１】
サーバが管理する所定のコミュニティへの参加、及びクライアント間のメッセージの送受信を実行するコミュニティサービス用のサーバであって、
前記クライアントが利用する自己のページと、コミュニティの情報とを連動させる手段を有することを特徴とするサーバ。
【請求項２】
サーバが管理する所定のコミュニティへの参加、及びクライアント間のメッセージの送受信を実行するコミュニティサービス用のサーバのプログラムであって、
前記クライアントが利用する自己のページと、コミュニティの情報とを連動させる処理を、前記サーバに実行せることを特徴とするサーバのプログラム。
【発明の詳細な説明】
【技術分野】
【０００１】
本発明はコミュニティシステムに関し、特に、コミュニティの機能と利用者の個人ページとが連動しているコミュニティシステムのサーバに関する。
【背景技術】
【０００２】
近年、ネットワークの発達により、ネットワーク上でコミュニティ活動が盛んに行われている。
【発明の開示】
【発明が解決しようとする課題】
【０００３】
しかしながら、コミュニティの参加者が互いに友人を紹介しあって、新たな友人を紹介した場合など、その人がコミュニティに参加したか否かを知る手段がなかった。
【０００４】
また、自分が参加しているコミュニティに変化があった場合等、自動的にその変化を知らせてくる手段がなかった。
【０００５】
そこで、本発明は上記課題に鑑みて発明されたものであって、その目的はコミュニティの変化を、利用者の個人ページを通じて利用者に通知することができるコミュニティシステムのサーバを提供することにある。
【０００６】
また、本発明は、コミュニティと利用者の個人ページとを連動させることができるコミュニティシステムのサーバを提供することにある。
【課題を解決するための手段】
【０００７】
上記課題を解決する第１の発明は、サーバが管理する所定のコミュニティへの参加、及びクライアント間のメッセージの送受信を実行するコミュニティサービス用のサーバであって、前記クライアントが利用する自己のページと、コミュニティの情報とを連動させる手段を有することを特徴とする。
【０００８】
上記課題を解決する第２の発明は、サーバが管理する所定のコミュニティへの参加、及びクライアント間のメッセージの送受信を実行するコミュニティサービス用のサーバのプログラムであって、前記クライアントが利用する自己のページと、コミュニティの情報とを連動させる処理を、前記サーバに実行せることを特徴とする。
【発明の効果】
【０００９】
本発明は、コミュニティと利用者の個人ページとが連動しているので、利用者はコミュニティの変化等をいち早く知ることができる。
【発明を実施するための最良の形態】
【００１０】
本発明の実施の形態を説明する。
【００１１】
図１に本発明の実施の形態におけるコミュニティサービスシステムの主要構成を示す。
【００１２】
図１を参照すると、本発明の実施形態におけるコミュニティサービスシステムは、サーバ１００と、複数のクライアント２００と、サーバ１００と、クライアント２００とを接続するネットワーク３００とから構成される。ネットワーク３００の例としては、インターネットがあるが、サーバ１００とクライアント２００との通信を実現するものであれば、任意の手段を用いることができる。
【００１３】
サーバ１００は管理者により、クライアント２００は利用者によりそれぞれ利用される。
【００１４】
管理者は、サーバ１００を用意し、運営することによってクライアント２００の利用者にコミュニティサービス及び利用者のマイページ機能を提供する。
【００１５】
ここで、コミュニティサービスとは、あるカテゴリー（例えば、時計、車）に興味がある者が互いにメッセージの送受信を行うためのサービスである。尚、以下の説明において、コミュニティサービスを提供する者を提供者、コミュニティサービスを利用する者を利用者とそれぞれ呼ぶ。コミュニティとは、利用者が互いにメッセージの送受信を行うための場であり、利用者はコミュニティに参加、退席することができる。コミュニティに参加している利用者は、参加中のコミュニティにメッセージを送信すると、当該メッセージはコミュニティサービスシステムを介して該コミュニティに参加している他の利用者に送信される。また、マイページ機能とは、利用者の個人情報を管理する機能であり、例えば、利用者のプロフィールや、日記、メールの送受信機能である。
【００１６】
そして、これらの機能を実現する為に、サーバ１００は、利用者とコミュニティの情報とを格納する機能を有する格納部１１０と、クライアント２００とサーバ１００との通信を媒介する機能を有する通信部１２０と、利用者の会員登録やログイン等を管理する利用者管理部１３０と、コミュニティを管理するコミュニティ管理部１４０と、利用者のメッセージの送受信を管理するメッセージ管理部１５０と、利用者が参加しているコミュニティと利用者のマイページとの連動を実行する為の情報を管理する関係情報管理部１６０と、利用者のマイページを管理するマイページ管理部１７０とから構成される。
【００１７】
格納部１１０に格納される利用者情報の例を図２に示す。この例では、各利用者の情報は、サーバ１００内でユニークなＩＤ（以下、利用者ＩＤと言う）と、サーバ１００が利用者にメッセージを送信する際の宛先情報として用いられるアドレス情報とを含む。
【００１８】
また、格納部１１０に格納されるコミュニティ情報の例が図３に示す。この例では、各コミュニティ情報は、サーバ１００内でユニークなＩＤ（以下、コミュニティＩＤと言う）と、コミュニティの名前と、該コミュニティに参加している利用者のＩＤの集合であるメンバリストとを含む。
【００１９】
また、格納部１１０に格納される利用者のマイページ情報の例が図４に示す。この例では、各マイページの情報は、上述したサーバ１００内でユニークにふられた利用者ＩＤと、利用者のプロフィール情報や、日記のデータとを含む。
【００２０】
クライアント２００は、利用者からの操作、要求に基づいて、サーバ１００からの各種情報の取得、コミュニティへの参加、コミュニティでのメッセージの送受信、関係情報の更新、コミュニティからの退席、等のコミュニティサービスにおける各種処理を実行する。また、利用者のプロフィールや日記のデータを、サーバ１００へ登録する処理や、メールの送受信の処理を実行する。
【００２１】
このような構成において、クライアント２００は、上記各種処理のユーザインタフェースを利用者に提供する。サーバ１００は、コミュニティ及び利用者の情報を管理し、クライアント２００からの要求に基づいてコミュニティサーバを提供する。利用者は、クライアント２００を操作することにより、サーバ１００により提供されるコミュニティサービスを亨受する。
【００２２】
以下、それぞれの動作、処理について説明する。尚、コミュニティに参加をする為には事前に本サービスの会員登録が必要であるが、この技術は従来から既に利用されているものなので、説明を省略し、会員登録が行われて利用者ＩＤが利用者に与えられたものとして説明する。
【００２３】
まず、コミュニティの参加処理を行う際に、クライアント２００は、先ず、サーバ１００から参加可能なコミュニティのリスト情報を取得し、コミュニティのＩＤと、利用者のＩＤとを指定して、コミュニティへの参加要求をサーバ１００に送信する。サーバ１００のコミュニティ管理部１４０は、格納部１１０のコミュニティ情報において、要求元の利用者ＩＤを指定されたコミュニティのメンバリストに追加する。
【００２４】
続いて、コミュニティで行える機能について説明する。図５はコミュニティで行える機能の概要を示した図であり、トピックスを作成したり、参加したコミュニティを利用者の友達に紹介したりする機能がある。
【００２５】
次に、マイページの機能について説明する。
【００２６】
図６はマイページの機能の概要を示した図である。マイページでは、メッセージの送受信の機能と、日記、利用者のプロフィールを編集する機能、友人へのコミュニティへの招待するメッセージの送信や、コミュニティ関係の情報を閲覧できる機能を有する。例えば、マイページ管理部１７０は、利用者によるプロフィールの編集や日記の記載に基づいて、マイページ情報を更新する。
【００２７】
本発明は、このマイページの機能と、コミュニティとの連動を図ることを特徴としており、コミュニティの情報に変動があった場合、コミュニティに参加している利用者の利用者ＩＤに対応するマイページに対して、メッセージを送信することを特徴とする。例えば、参加しているコミュニティに変更があると、コミュニティに参加している利用者に対して、メッセージによる通知が行われる。これらの機能は、利用者ＩＤによって、コミュニティ情報とマイページ情報とが関連付けられていることにより、実行可能である。その他の連動の概要を図７に示す。
【図面の簡単な説明】
【００２８】
【図１】図１は本発明の実施の形態におけるコミュニティサービスシステムの主要構成を示す図である。
【００２９】
【図２】図２は格納部１１０に格納される利用者情報の例を示す図である。
【００３０】
【図３】図３は格納部１１０に格納されるコミュニティ情報の例を示す図である。
【００３１】
【図４】図４は格納部１１０に格納される利用者のマイページ情報の例を示す図である。
【００３２】
【図５】図５はコミュニティで行える機能の概要を示した図である。
【００３３】
【図６】図６はマイページの機能の概要を示した図である。
【００３４】
【図７】図７はコミュニティとマイページとの連動の概要を示した図である。
【符号の説明】
【００３５】
１００  サーバ
１１０    格納部
１２０    通信部
１３０    利用者管理部
１４０    コミュニティ管理部
１５０    メッセージ管理部
１６０    関係情報管理部
１７０    マイページ管理部
２００  クライアント
３００  ネットワーク
【図１】
2007048186.tif 000003
【図２】
2007048186.tif 000004
【図３】
2007048186.tif 000005
【図４】
2007048186.tif 000006
【図５】
2007048186.tif 000007
【図６】
2007048186.tif 000008
【図７】
2007048186.tif 000009